(57)【要約】      （修正有）【課題】マスクを顔面に密着して装着でき、マスクの周囲からウイルスの粒子を飛び散らしたり吸い込まないようにできるマスク装着具を提供する。【解決手段】マスク装着具は、口、鼻孔を囲む大きさの透孔を有する環状シートと、該環状シートの両面に形成した粘着層と、該各粘着層に仮着した剥離シートとからなる。マスクを口や鼻孔を囲む顔面に粘着できるようにし、ウイルスの粒子を飛び散らしたり吸い込まないようにした。【選択図】図１
0003153230.tif 000002
【実用新案登録請求の範囲】
【請求項１】
口、鼻孔を囲む大きさの透孔を有する環状シートと、該環状シートの両面に形成した粘着層と、該各粘着層に仮着した剥離シートとからなることを特徴とするマスク装着具。
【請求項２】
前記透孔を有する環状シートが、柔軟な素材により構成されていることを特徴とする請求項１に記載のマスク装着具。
【請求項３】
前記剥離シートが、透孔を有する環状シートと同形になっていることを特徴とする請求項１または２に記載のマスク装着具。
【請求項４】
前記剥離シートの少なくとも一方に、環状部の１個所に透孔と外周縁を横断する切込みを形成したことを特徴とする請求項３に記載のマスク装着具。
【考案の詳細な説明】
【技術分野】
【０００１】
本考案は、マスクを顔面に密着させて装着し、マスク正面以外からの外気を遮断できるマスク装着具に関するものである。
【背景技術】
【０００２】
一般にマスクは、かぜ症候群や花粉対策のためにかける。かぜ症候群をおこすウイルスは、患者のくしゃみや咳で飛び散るし、鼻水や喉の粘液の粒子のなかに含まれていて、この粒子を吸い込むことによって感染する。また、一旦、床などに落ちて乾燥し、埃りと一緒に舞い上がったウイルスの粒子を吸い込んでも感染する。マスクはこのように空気中に浮遊しているウイルスを含む粒子を吸い込まない目的で装着する。ウイルスは光学顕微鏡で見ることの出来ない小さな病原微生物で、これをも通過させない素材からなるマスクも存在するが、一般的には、くしゃみや咳と一緒に飛び散る比較的大きな粒子をまき散らさないため、あるいは埃や花粉の多い場所においてこれらの刺激で喉の粘膜の抵抗力が低下するのをくい止めるために装着して有効である。
【考案の開示】
【考案が解決しようとする課題】
【０００３】
しかしながら、マスクは、顔面の鼻隆部の周囲の隙間、頬部や顎部にある凹凸の影響で顔面に密着しないことが多く、くしゃみや咳と一緒にウイルスの粒子を飛び散らしたり、埃や花粉を外気とともに吸い込んでしまったりすることがあり、これらをシャットアウト出来ないという問題があった。
【０００４】
本考案は、上記の問題を解消するためのもので、その目的とするところは、マスクを顔面に密着して装着でき、マスクの周囲からウイルスの粒子を飛び散らしたり吸い込まないようにできるマスク装着具を提供する点にある。
【課題を解決するための手段】
【０００５】
上記目的を達成するため、本考案に係るマスク装着具は、口、鼻孔を囲む大きさの透孔を有する環状シートと、該環状シートの両面に形成した粘着層と、該各粘着層に仮着した剥離シートとからなることを特徴とし、マスクを口や鼻孔を囲む顔面に粘着できるように構成した。
【０００６】
また、請求項２に記載のマスク装着具は、前記透孔を有する環状シートが、柔軟な素材により構成されていることを特徴とし、顔面の鼻隆部、頬部及び顎部に隙間なく適用できるように構成した。
【０００７】
さらに、請求項３に記載のマスク装着具は、前記剥離シートが、環状シートと同形になっていることを特徴とし、剥離シートを剥がして顔面に貼るときに環状シートを把持し易くするように構成した。
【０００８】
さらにまた、請求項４に記載のマスク装着具は、前記剥離シートの少なくとも一方に、環状部の１個所に透孔と外周縁を横断する切込みを形成したことを特徴とし、顔面に貼った環状シートから剥離シートを剥がす作業が手早くできるように構成した。
【考案の効果】
【０００９】
本考案のマスク装着具によれば、口、鼻孔を囲む大きさの透孔を有する環状シートと、該環状シートの両面に形成した粘着層と、該各粘着層に仮着した剥離シートとからなることを特徴としているから、環状シートの一面の剥離シートを剥がして口や鼻孔を囲む顔面に粘着した後、環状シートの外面の剥離シートを剥がしてマスクを掛け、そのマスクを、口や鼻孔の周囲の顔面に押しつけると、マスクを顔面の口や鼻孔を囲むように密着して粘着でき、マスク正面以外からの外気を確実に遮断できるという優れた効果を奏する。
【００１０】
また、請求項２に記載のマスク装着具によれば、前記透孔を有する環状シートが、柔軟な素材により構成されていることを特徴としているから、顔面の鼻隆部、頬部及び顎部に連続する凹凸に隙間なく適用でき、マスクと顔面の口や鼻孔を囲む部位との間に隙間を作らないという優れた効果を奏する。
【００１１】
さらに、請求項３に記載のマスク装着具によれば、前記剥離シートが、環状シートと同形になっていることを特徴としているから、剥離シートを剥がして顔面に貼るに際し、環状シートを把持し易く、しかも、把持した状態で剥離シートが剥がし易くなるという優れた効果を奏する。
【００１２】
さらにまた、請求項４に記載のマスク装着具によれば、前記剥離シートの少なくとも一方に、環状部の１個所に透孔と外周縁を横断する切込みを形成したことを特徴としているから、顔面に貼った環状シートから外面側の剥離シートを剥がす手さぐりの作業が容易にできるという優れた効果を奏する。
【考案を実施するための最良の形態】
【００１３】
次に、本考案の実施の態様を添付図面に基づいて説明する。図１は一部剥がした状態を示す本願装着具の外観斜視図、図２は本願装着具の拡大断面図、図３は本願装着具の表裏２面を示す図で、（ａ）は顔面側、（ｂ）はマスク側、図４は本願装着具を顔面へ適用した状態を示す図で、（ａ）は顔面粘着時、（ｂ）はマスク側の剥離シートを剥がし始めた時、（ｃ）は顔面の口や鼻孔を囲む部位に粘着層を転写した時、図５はマスク装着時を示す図で、（ａ）は当初段階、（ｂ）は第２次段階、（ｃ）は完成時である。
【００１４】
本願装着具１は、人の口、鼻孔を囲む大きさの透孔２を有する環状シート３と、該環状シート３の各表面に形成した粘着層４と、該粘着層４の外面に仮着した剥離シート５とからなる。図１では、前記剥離シート５の一部を剥がして前記粘着層４を露出させた状態を示している。
【００１５】
図２は環状シート３を芯材としてその両面に粘着層４を塗布し、該各粘着層４の各表面に剥離シート５、５を仮着してなる。仮着とは、剥がすことを前提に貼り、普段、ベタツクことを制限している。
【００１６】
前記透孔２を有する環状シート３は、柔軟な素材により構成されている。これは顔面の鼻隆部ａ、頬部ｂ及び顎部ｃに連続する顔面の凹凸に隙間なく適用できる点で好ましい。柔軟な素材としては、たとえば、ポリエチレン発泡体あるいはに不織布があるが、これらに限定されず、他の柔軟な素材があればそれによることは自由である。
【００１７】
前記透孔２は、顔面の口、鼻孔を塞がないことが重要で、このことを満足する限り、特段形状には拘らないが、図示の例では洋梨形状を示している。勿論、真円でも、マスクの形状に沿った四角形でも、立体マスクの形状に合わせた楕円形でも、その他の形状でもよい。また、透孔２を有する環状シート３の形状も前記透孔２に合わせて洋梨形状にし、顔面の鼻隆部ａ、頬部ｂ及び顎部ｃの位置関係に対応させている。
【００１８】
前記剥離シート５は、前記環状シート３の両面に形成した粘着層４のそれぞれの外面に仮着し、本願装着具１を顔面に貼るに際し、まず、図３（ａ）の如く、顔面側の剥離シート５を剥がす。この状態は目で確認できるが、顔面側に貼った環状シート３からマスク側の剥離シート５を剥がすときは、手さぐり状態になるので、少なくともマスク側の剥離シート５には、図３（ｂ）の如く、透孔２と環状シート３の外周縁とを横断する切込み線６を１個所形成しておくと剥がし易くするために良い。なお、図示していないが、マスク側の剥離シート５にも切込み線を設けておくことは自由である。
【００１９】
前記粘着層４は、肌にやさしい粘着付与樹脂、たとえば、アクリル酸エステル共重合体やシリコーンを用いることが好ましい。この各粘着層４の外面に仮着した剥離シート５は環状シート３とは同形、同大になっている。これは剥離シート５を剥がして顔面に貼るときに把持し易く、かつ、剥がし易すさを維持するために有効である。勿論、環状シート３と剥離シート５とは必ずしも同形、同大でなくてもよい。すなわち、一方の剥離シート５を台紙状（図示せず）にし、これに複数の本願装着具１を並べておいてもよい。
【００２０】
次に、本願装着具１を顔面に適用する場合について説明する。まず、本願装着具１の顔面側の剥離シート５を剥がして、図４（ａ）の如く、洋梨形状のヘタ側を鼻隆部ａの上部に当て貼った後、顔面の頬部ｂ及び顎部ｃに順に貼る。次に、顔面側に貼った環状シート３からマスク側の剥離シート５を剥がす。このときは手さぐり状態になるので、切込み線６の突き合わせ端部を探りつつ剥がし、図４（ｂ）の如く、親指と人指し指で摘んで全体的に剥がすと、図４（ｃ）の如く、顔面の口や鼻孔を囲む部位に粘着層４が転写された格好となる。
【００２１】
次いで、マスクを着用する場合について説明する。まず、マスク７の上縁のほぼ中央部８を、予め、上述の如く、顔面の口や鼻孔を囲む部位に転写された粘着層４のうち、図５（ａ）の如く、鼻隆部ａの上部の粘着層４に当て、次いで、マスク７の下縁のほぼ中央部９を、図５（ｂ）の如く、顎ｃに鼻隆に沿ってやや膨らましつつ当てる。その後、マスク７の耳糸（掛け紐）１０、１０を、図５（ｃ）の如く、耳に掛け、マスク７を顔面の鼻隆部ａ、頬部ｂ及び顎部ｃの如く順に押える。
【００２２】
これにより、マスク７は、口や鼻孔を囲むように、顔面に密着して粘着でき、マスク正面（布目あるいはマスク素材の隙間を通す）以外からの外気の進入を確実に遮断できる。したがって、くしゃみや咳と一緒にウイルスの粒子を飛び散らしたり、埃や花粉を外気とともに吸い込んでしまったりすることがあり得ず、これらを確実にシャットアウト出来るものである。勿論、マスクを顔面に密着粘着した後、食事をするとき、あるいは電話をかけるときなどに一時的にマスクを外し、再度、かけることも可能である。
【００２３】
これにより、マスク７は、口や鼻孔を囲むように、顔面に密着して粘着でき、マスク正面（布目あるいはマスク素材の隙間を通す）以外からの外気の進入を確実に遮断できる。したがって、くしゃみや咳と一緒にウイルスの粒子を飛び散らしたり、埃や花粉を外気とともに吸い込んでしまったりすることがあり得ず、これらを確実にシャットアウト出来るものである。
【００２４】
なお、図示していないが、マスクの市販に際し、その内面（顔面側）に本願装着具１の顔面側に形成した粘着層４を介して貼り付けた状態にし、マスクを買った人が、着用に際して顔面側の剥離シート５を剥がして露出させた粘着層４を顔面の口や鼻孔を囲む部位に貼るようにすることも可能である。
【産業上の利用可能性】
【００２５】
本願装着具１は、顔面側の剥離シートを剥がして顔面の鼻隆部、頬部及び顎部を囲んで顔面側に貼り、その上からマスクを顔面に密着させて装着し、マスク正面以外からの外気を遮断できるもので、かぜ症候群をおこすウイルスが、患者のくしゃみや咳で飛び散らせないし吸い込ませないし、花粉対策のためにも有効でありるなど、医療分野において広く利用することが可能なものである。
【図面の簡単な説明】
【００２６】
【図１】一部剥がした状態を示す本願装着具の外観斜視図である。
【図２】本願装着具の拡大断面図である。
【図３】本願装着具の２面を示す図で、（ａ）は顔面側、（ｂ）はマスク側である。
【図４】本願装着具を顔面へ適用する状態を示す図で、（ａ）は顔面粘着時、（ｂ）はマスク側の剥離シートを剥がし始めた時、（ｃ）は顔面の口や鼻孔を囲む部位に粘着層を転写した時である。
【図５】マスク装着時を示す図で、（ａ）は当初段階、（ｂ）は第２次段階、（ｃ）は完成時である。
【符号の説明】
【００２７】
１  本願装着具
２  透孔
３  環状シート
４  粘着層
５  剥離シート５
６  切込み線
７  マスク
８  マスク上縁のほぼ中央部
９  マスク下縁のほぼ中央部
１０  耳糸（掛け紐）
ａ  鼻隆部
ｂ  頬部
ｃ  顎部
【図１】
0003153230.tif 000003
【図２】
0003153230.tif 000004
【図３】
0003153230.tif 000005
【図４】
0003153230.tif 000006
【図５】
0003153230.tif 000007